(57)【要約】【課題】  本体と蓋とからなるケース内へのアンテナ素子の組み立て作業能率を向上させる。【解決手段】  本体部２と、これの開口を被蓋している蓋部４とからケース１が構成されている。本体部２内にそれぞれの内方端部が交差して位置するように２つのアンテナ素子１４ａ、２０ａが配置されている。本体部２内に蓋４側に向かって突出するように第１支持部２２が設けられている。アンテナ素子１４ａ、２０ａの交差部が第１支持部２２の突出部分の先端から内部に挿通されている。蓋４の内面における第１支持部２２に対応する位置に第１押圧部１１０が第１支持部２２に向かって突出し、アンテナ素子１４ａ、２０ａの交差部を第１支持部２２側に押圧している。【選択図】        図１
2006050131.tif 000002
【特許請求の範囲】
【請求項１】
一面が開口した本体部と、
前記開口を被蓋している蓋部と、
前記本体部内にそれぞれが交差して位置するように配置された複数の直線状アンテナ素子と、
前記本体部内に前記蓋部側に向かって突出するように設けられ、前記複数のアンテナ素子の交差部が突出部分の先端から内部に挿通されている第１支持部と、
前記蓋部の内面から前記アンテナ素子に向かって突出し、前記アンテナ素子を第１支持部側に押圧している第１押圧部とを、
具備するアンテナ装置。
【請求項２】
請求項１記載のアンテナ装置において、第１押圧部が、前記蓋部の内面における第１支持部に対応する位置に第１支持部に向かって突出し、前記アンテナ素子の交差部を第１支持部側に押圧しているアンテナ装置。
【請求項３】
請求項１記載のアンテナ装置において、前記複数の直線状アンテナ素子は、それらの内方端部で交差しているアンテナ装置。
【請求項４】
請求項１記載のアンテナ装置において、前記本体部内に前記各アンテナ素子の中途を支持する第２支持部を設けたアンテナ装置。
【請求項５】
請求項４記載のアンテナ装置において、各第２支持部は、各アンテナ素子の中途が挿通される溝を有し、前記蓋部の内面における第２支持部に対応する位置に、前記各アンテナ素子の中途を前記溝の一方の縁に押圧する第２押圧部が設けられているアンテナ装置。
【請求項６】
請求項１記載のアンテナ装置において、前記各アンテナ素子は、同じ大きさの板状に形成された２つのアンテナ素子であって、それらの表面が前記開口に対してほぼ垂直に配置され、前記２つのアンテナ素子の交差部には、前記表面の幅方向に沿う切り込みがそれぞれ形成され、これら切り込みが互いに挿通され、一方の前記アンテナ素子の切り込みの深さは、他方の前記アンテナ素子の前記幅方向の長さからその他方のアンテナ素子の切り込みの深さを引いた長さを持つように形成されているアンテナ装置。
【請求項７】
一面が開口した本体部と、
前記開口を被蓋している蓋部と、
前記本体部内に収容された板状の第１乃至第８アンテナ素子とを、
具備し、
第１及び第２アンテナ素子は、それらの表面が前記開口に対してほぼ垂直に、かつ互いに内方端部が間隔をあけて同一直線上に位置するように配置されて、第１ダイポールアンテナを構成し、
第３及び第４アンテナ素子は、それらの表面が前記開口に対してほぼ垂直に、かつ互いに内方端部が間隔をあけて同一直線上に位置し、第３アンテナ素子が第１アンテナ素子と間隔をあけてほぼ平行に、第４アンテナ素子が第２アンテナ素子と間隔をあけてほぼ平行に配置されて、第２ダイポールアンテナを構成し、
第５及び第６アンテナ素子は、それらの表面が前記開口に対してほぼ垂直に、かつ互いに内方端部が間隔をあけて同一直線上に位置し、第５アンテナ素子の内方端部が第１アンテナ素子の内方端部とほぼ直交して交差し、第６アンテナ素子の内方端部が第３アンテナ素子の内方端部とほぼ直交して交差して、第３ダイポールアンテナを構成し、
第７及び第８アンテナ素子は、それらの表面が前記開口に対してほぼ垂直に、かつ互いに内方端部が間隔をあけて同一直線上に位置し、第７アンテナ素子の内方端部が第２アンテナ素子の内方端部とほぼ直交して交差し、第８アンテナ素子の内方端部が第４アンテナ素子の内方端部とほぼ直交して交差して、第４ダイポールアンテナを構成し、
第１及び第５アンテナ素子の交差部、第２及び第７アンテナ素子の交差部、第３及び第６アンテナ素子の交差部、第４及び第８アンテナ素子の交差部が、それぞれに挿通されるように前記本体部に前記開口側に向けて設けられた４つの第１支持部と、
前記蓋部の内面における前記各アンテナ素子に対応する位置に設けられ、前記各アンテナ素子を各第１支持部側に押圧する第１押圧部とを、
具備するアンテナ装置。
【請求項８】
請求項７記載のアンテナ装置において、各第１押圧部は、前記蓋部の内面における前記各第１支持部に対応する位置にそれぞれ設けられ、前記各交差部を各第１支持部側に押圧するアンテナ装置。
【請求項９】
請求項７記載のアンテナ装置において、前記本体部内に前記第１乃至第８アンテナ素子の中途がそれぞれ挿通される溝条の挿通部を有する環状の第２支持部が設けられているアンテナ装置。
【請求項１０】
請求項９記載のアンテナ装置において、前記蓋部における前記各挿通部に対応する位置にそれぞれ設けられ、第１乃至第８アンテナ素子の前記各挿通部に挿通されている部分を当該挿通部の一方の縁側に押圧する第２押圧部が設けられているアンテナ装置。
【発明の詳細な説明】
【技術分野】
【０００１】
本発明は、アンテナ装置に関し、特にアンテナを構成するアンテナ素子のケースへの取り付け構造に関する。
【背景技術】
【０００２】
従来、ケースにアンテナ素子が収容されているアンテナ装置としては、例えば特許文献１に開示されているようなものがある。このアンテナ装置では、平面形状が概略八角形状の本体部と、この本体部の開口を被蓋している蓋部とが、設けられている。本体部内には、４組の八木形アンテナが設けられている。本体部を通る１つの仮想直線上に上記４組のうち２組の八木形アンテナが、それぞれ反対方向に指向性を持つように配置されている。上記の仮想直線と直交する別の仮想直線上にそれぞれ反対方向に指向性を持つように、残りの２組の八木形アンテナが配置されている。先に述べた２組の八木形アンテナと、後に述べた２組の八木形アンテナとは、異なる高さ位置に位置している。各八木形アンテナは、放射器、反射器及び導波器からなるアンテナ素子を、それぞれ備え、本体部内に設けた支持体に支持されている。
【０００３】
【特許文献１】特開２００１−３６３２７号公報
【発明の開示】
【発明が解決しようとする課題】
【０００４】
このように構成されたアンテナ装置では、各アンテナ素子を対応する支持体上に１つずつ配置した上に、これら支持体に固定する作業を行い、これら作業が終了した段階で、蓋部によって本体部の開口を閉じる必要があり、組み立て作業能率が悪いという問題点がある。
【０００５】
本発明は、組み立て作業能率を向上させることができるアンテナ装置を提供することを目的とする。
【課題を解決するための手段】
【０００６】
本発明の一態様によるアンテナ装置は、本体部と蓋部とを備えている。本体部は、一面、例えば上面が開口している。蓋部は、前記開口を被蓋している。この本体部と蓋部とによってケースが構成されているが、このケースは扁平であることが望ましい。本体部内に複数の直線状のアンテナ素子が配置されている。これらアンテナ素子は、例えばモノポールアンテナでもよいし、ダイポールアンテナの２つのアンテナ素子または１つのアンテナ素子でもよい。これらアンテナ素子の配置は、各アンテナ素子が交差するように行われている。アンテナ素子としては、絶縁性の板状体、例えばプリント基板上に１つの線路または直線状に配置した２つの線路を形成したものが望ましい。各アンテナ素子の交差は、例えば１つのプリント基板上に１つの線路が形成されている場合（モノポールアンテナまたはダイポールアンテナの一方のアンテナ素子が１つのプリント基板上に形成されている場合）には、プリント基板の内方端部を交差させる。また、例えば１つのプリント器基板上に１つのダイポールアンテナの各素子が形成されている場合には、このプリント基板の中途を交差させる。各アンテナ素子が交差している場合、交差している各アンテナ素子間の絶縁が維持されることが望ましい。各アンテナ素子の先端部は、本体部の外方に突出することも可能であるし、本体部内に位置することも可能である。本体部内に前記蓋部側に向かって突出するように第１支持部が設けられている。例えば本体部の壁部から上面開口に向かって突出させることができる。第１支持部には、前記複数のアンテナ素子の交差部が第１支持部の先端から内部に挿通されている。蓋部の内面におけるアンテナ素子に対応する位置に第１支持部に向かって第１押圧部が突出し、アンテナ素子の交差部を第１支持部側に押圧している。第１押圧部は、アンテナ素子の交差部に対応して設けることが、その設置数を減少させる点から望ましい。
【０００７】
このように構成されたアンテナ装置では、本体部及び蓋部からなるケースへの各アンテナ素子の固定は、本体部の開口を蓋部によって閉じることによって、第１押圧部が各アンテナ素子を第１支持部側に押圧することによって自動的に行われる。従って、各アンテナ素子をねじや接着剤を用いて本体部に固定する必要が無く、組み立て作業能率が向上する。更に、各アンテナ素子を交差させているので、例えばアンテナ素子を全て本体部内に収容する場合には、本体部を小型化することができる。
【０００８】
前記本体部内に前記各アンテナ素子の中途を支持する第２支持部を設けることもできる。このように構成すると、各アンテナ素子は、内方端部と中途との２点でそれぞれ支持されるので、各アンテナ素子は安定した状態で支持される。
【０００９】
更に、各第２支持部は、各アンテナ素子の中途が挿通される溝を有するものとできる。この場合、蓋部の内面における第２支持部に対応する位置に、各アンテナ素子の中途を前記溝の一方の縁に押圧する第２押圧部が設けられている。
【００１０】
このように構成すると、各アンテナ素子の中途が対応する第２支持部に強固に固定されるので、各アンテナ素子をより安定した状態で本体部内に収容することができる。しかも、この固定は、蓋部によって本体部の開口を閉じることによって自動的に行える。
【００１１】
上記の態様のアンテナ装置において、前記各アンテナ素子を、同じ大きさの板状に形成された２つのアンテナ素子とすることができる。これら各アンテナ素子の表面が前記開口に対してほぼ垂直に配置される。前記２つのアンテナ素子の交差部には、前記表面の幅方向に沿う切り込みがそれぞれ形成され、これら切り込みが互いに挿通され、一方の前記アンテナ素子の切り込みの深さは、他方の前記アンテナ素子の前記幅方向の長さからその他方のアンテナ素子の切り込みの深さを引いた長さを持つように形成されている。
【００１２】
このように構成すると、２つのアンテナ素子を交差させた状態では、両アンテナ素子がその幅方向において完全に重なり合う。従って、本体部の開口方向の寸法を短くすることができ、本体部の小型化を図ることができる。
【００１３】
本発明の他の態様のアンテナ装置も、本体部と蓋部とを備えている。本体部は、その一面が開口している。蓋部は、本体部の開口を被蓋している、前記本体部内に板状の第１乃至第８アンテナ素子が収容されている。第１乃至第８アンテナ素子は、同一の形状に形成することが望ましい。第１及び第２アンテナ素子は、第１ダイポールアンテナを構成している。第１及び第２のアンテナ素子は、それらの表面が前記開口に対してほぼ垂直に、かつ互いに内方端部が間隔をあけて同一直線上に位置するように配置されている。第３及び第４アンテナ素子は、第２ダイポールアンテナを構成している。第３及び第４アンテナ素子は、それらの表面が前記開口に対してほぼ垂直に、かつ互いに内方端部が間隔をあけて同一直線上に位置し、第３アンテナ素子が第１アンテナ素子と間隔をあけてほぼ平行に、第４アンテナ素子が第２アンテナ素子と間隔をあけてほぼ平行に配置されている。第５及び第６アンテナ素子は、第３ダイポールアンテナを構成している。第５及び第６アンテナ素子は、それらの表面が前記開口に対してほぼ垂直に、かつ互いに内方端部が間隔をあけて同一直線上に位置し、第５アンテナ素子の内方端部が第１アンテナ素子の内方端部とほぼ直交して交差し、第６アンテナ素子の内方端部が第３アンテナ素子の内方端部とほぼ直交して交差している。第１及び第５のアンテナ素子の交差は、それらの表面に幅方向に切り込みをそれぞれ形成し、これら切り込みを互いに噛み合わせることによって形成することが望ましい、同様に、第３及び第６アンテナ素子の交差も、それらの表面に幅方向に切り込みをそれぞれ形成し、これら切り込みを互いに噛み合わせることによって形成することが望ましい。第７及び第８アンテナ素子は、第４ダイポールアンテナを構成している。第７及び第８アンテナ素子は、それらの表面が前記開口に対してほぼ垂直に、かつ互いに内方端部が間隔をあけて同一直線上に位置し、第７アンテナ素子の内方端部が第２アンテナ素子の内方端部とほぼ直交して交差し、第８アンテナ素子の内方端部が第４アンテナ素子の内方端部とほぼ直交して交差している。第２及び第７アンテナ素子の交差、第４及び第８アンテナ素子の交差は、それぞれそれらの表面の幅方向に切り込みを形成し、対応する切り込みを互いに噛み合わせることによって形成することが望ましい。また、互いに噛み合わされる切り込みの一方の深さは、他方の切り込みが形成されている前記アンテナ素子の前記幅方向の長さからその他方のアンテナ素子の切り込みの深さを引いた長さを持つように形成することが望ましい。第１及び第５アンテナ素子の交差部、第２及び第７アンテナ素子の交差部、第３及び第６アンテナ素子の交差部、第４及び第８アンテナ素子の交差部が、それぞれに挿通されるように前記本体部に前記開口側に向けて４つの第１支持部が設けられている。前記蓋部の内面における各アンテナ素子に対応する位置に合計４つの第１押圧部が設けられ、これら第１押圧部が前記各交差部を各第１支持部側に押圧する。第１押圧部は、各アンテナ素子の交差部に対応する位置に設けることが、第１押圧部の設置数を減少させる点から望ましい。この場合、各第１押圧部は、交差部を第１支持部側に押圧する。
【００１４】
このように構成されているので、８本のアンテナ素子を２本ずつ交差させ、これら交差部分を第１支持部にそれぞれ挿通し、蓋部によって本体部の開口を閉じると、各アンテナ素子が第１押圧部によって第１支持部側に押圧されて、固定される。従って、８本ものアンテナ素子を個別に本体部に固定する必要が無く、組み立てが容易となる。しかも、各アンテナ素子は本体部内に全て収容されており、直交する２本ずつを交差させているので、本体部を小型化することができる。
【００１５】
更に、前記本体部内に前記第１乃至第８アンテナ素子の中途がそれぞれ挿通される溝条の挿通部を有する環状の第２支持部を設けることもできる。このように構成すると、各アンテナ素子が内方端部と中途との２箇所で固定されるので、安定した状態で各アンテナ素子を取り付けることができる。しかも第２支持部が環状であるので、蓋部と本体部との隙間から水が侵入したとしても、第２支持部よりも内側に水が侵入することを防止することができる。
【００１６】
更に、前記蓋部における前記各挿通部に対応する位置にそれぞれ第２押圧部が設けられている。第２押圧部は、第１乃至第８アンテナ素子の前記各挿通部に挿通されている部分を当該挿通部の一方の縁側に押圧する。このように構成することによって、第１乃至第８アンテナ素子をそれらの中途においても挿通部に強固に固定することができ、しかも、この固定は蓋部によって本体部の開口を閉じることによって自動的に行える。
【発明の効果】
【００１７】
以上のように、本発明によるアンテナ装置では、組み立て能率を向上させることができる上に、強固にアンテナ素子を本体部に取り付けることができる。
【発明を実施するための最良の形態】
【００１８】
本発明の１実施形態のアンテナ装置は、図１に示すように、本体部２を有している。この本体部２は、例えば合成樹脂製で、その平面形状が概略八角形状のもので、周縁部から中央に向かうに従って下方に傾斜し、一面、例えば上面が開口している。この開口を同じく平面形状が八角形状の蓋４が被蓋している。蓋４も、例えば合成樹脂製で、周縁部から中央に向かうに従って上方に傾斜している。これら本体部２と蓋４によってケース１が構成されている。
【００１９】
本体部２は、底壁部２ａを有し、その周囲に周壁部２ｂを有している。この周壁部２ｂは、１対の端部６ａ、６ａを所定の間隔をおいて有している。さらに、周壁部２ｂは、１対の端部６ｂ、６ｂも有している。端部６ａ、６ａと端部６ｂ、６ｂとは直交するように配置されている。これら端部６ａ、６ａ、６ｂ、６ｂ間を繋ぐように円弧状縁部８、８、８、８が形成されている。これら端部６ａ、６ｂ、円弧状縁部８は、いずれも開口に対してほぼ垂直に底壁部２ａから上方に立ち上がるように、底壁部２ａの周縁に一体に形成されている。
【００２０】
蓋４も、本体部２と同様に上壁部４ａ、周壁部４ｂから構成されている。周壁部４ｂは、２対の直交する端部１０ａ、１０ａ、１０ｂ、１０ｂと、これらを繋ぐ円弧状縁部１２、１２、１２、１２とからなり、上壁部４ａに対してほぼ垂直に上壁部４ａの周縁に、これと一体に形成されている。
【００２１】
本体部２内には、端部６ａ、６ａ間を跨ぐように、指向性アンテナ、例えばダイポールアンテナ１４が配置されている。このダイポールアンテナ１４は、内方端部が間隔をおいて位置するように同一直線上に配置された第１及び第２アンテナ素子１４ａ、１４ｂから構成されている。このダイポールアンテナ１４と所定の間隔を隔てて平行にダイポールアンテナ１６が配置されている。ダイポールアンテナ１６も、内方端部が間隔をおいて位置するように同一直線上に配置された第３及び第４アンテナ素子１６ａ、１６ｂから構成されている。第１アンテナ素子１４ａと第３アンテナ素子１６ａとが対向し、第２アンテナ素子１４ｂと第４アンテナ素子１６ｂとが対向している。
【００２２】
同様に、本体部２内には、端部６ｂ、６ｂ間を跨ぐように、ダイポールアンテナ１８が配置されている。このダイポールアンテナ１８も内方端部が間隔をおいて位置するように同一直線上に配置された第５及び第６アンテナ素子１８ａ、１８ｂから構成されている。ダイポールアンテナ１８と所定の間隔を隔てて平行にダイポールアンテナ２０が配置されている。このダイポールアンテナ２０も、同一直線上に内方端部が間隔をおいて位置するように配置された第７及び第８アンテナ素子２０ａ、２０ｂから構成されている。第５アンテナ素子１８ａと第７アンテナ素子２０ａとが対向し、第６アンテナ素子１８ｂと第８アンテナ素子２０ｂとが対向している。
【００２３】
各アンテナ素子１４ａ、１４ｂ、１６ａ、１６ｂ、１８ａ、１８ｂ、２０ａ、２０ｂは、長方形状のプリント基板であって、これをエッチングすることによって線路が形成されている。これら線路の長さは、第１の周波数帯、例えばＵＨＦ帯のテレビジョン放送信号を受信可能に選択されている。これら各アンテナ素子１４ａ、１４ｂ、１６ａ、１６ｂ、１８ａ、１８ｂ、２０ａ、２０ｂは、それらの表面が本体部２の開口に対してほぼ垂直となるように配置されている。
【００２４】
ダイポールアンテナ１４、１６は、端部６ｂ、６ｂを繋ぐ方向に指向性を示し、ダイポールアンテナ１８、２０は、端部６ａ、６ａを繋ぐ方向に指向性を示す。即ち、ダイポールアンテナ１４、１６の指向性と、ダイポールアンテナ１８、２０の指向性とは異なる方向である。
【００２５】
本体部２の端部６ａ、６ａの距離、端部６ｂ、６ｂ間の距離をそれぞれ短くして、本体部２を小型化するために、アンテナ素子１４ａ、２０ａの内方端部、アンテナ素子１４ｂ、１８ａの内方端部、アンテナ素子１６ａ、２０ｂの内方端部、アンテナ素子１６ｂ、１８ｂの内方端部が、第１の支持部、例えば各ボス２２上で交差している。これら各ボス２２は、底壁部２ａから上方に向かって突出するように、底壁部２ａと一体に４箇所に形成されている。各ボス２２は、これらアンテナ素子１４ａ、１４ｂ、１６ａ、１６ｂ、１８ａ、１８ｂ、２０ａ、２０ｂを支持している。
【００２６】
例えばアンテナ素子１６ａと、アンテナ素子２０ｂとを代表として説明すると、図２に拡大して示すように、アンテナ素子１６ａの内方端部には、その表面の幅方向に沿って上縁から下方に向かって中途まで切欠１００ａが形成されている。一方、アンテナ素子２０ｂの内方端部には、その表面の幅方向に沿って下縁から上方に向かって中途まで切欠１００ｂが形成されている。これら切欠１００ａに切欠１００ｂが挿通されている。切欠１００ｂの深さは切欠１００ａの下端からアンテナ素子１６ａの下端までの距離に等しく形成されている。このように構成されているので、アンテナ素子１６ａ、２０ｂの切欠１００ａに切欠１００ｂを挿通することによってアンテナ素子１６ａ、２０ｂを交差させたとき、両アンテナ素子１６ａ、２０ｂの上縁同士が同じ位置にある。即ち、両者を組み合わせた状態で両者の高さが一致する。他のアンテナ素子１４ａと２０ａ、１４ｂと１８ａ、１６ｂと１８ｂにおいても、同様に切欠が形成され、交差させられている。なお、これら交差しているアンテナ素子同士は、電気的に絶縁されている。
【００２７】
各ボス２２には、図２に示すように、端部６ａ、６ａを繋ぐ直線状に位置するように２つの溝１０２ａ、１０２ｂが周縁部に形成されている。同様に、端部６ｂ、６ｂを繋ぐ直線状に位置するように周縁部に２つの溝１０４ａ、１０４ｂも形成されている。これら溝１０２ａ、１０２ｂ、１０４ａ、１０４ｂは、ボス２２の上端部から下端部側に向かってアンテナ素子１４ａ、１４ｂ、１６ａ、１６ｂ、１８ａ、１８ｂ、２０ａ、２０ｂの主表面の幅方向の寸法よりも幾分短く形成され、各ボス２２の中央には、その上端部から各溝１０２ａ、１０２ｂ、１０４ａ、１０４ｂの底までこれら各溝１０２ａ、１０２ｂ、１０４ａ、１０４ｂを繋ぐように開口１０６が形成されている。この開口１０６に例えばアンテナ素子１６ａ、２０ｂの交差部分が挿通され、アンテナ素子１６ａは溝１０２ａ、１０２ｂを通り、アンテナ素子２０ｂは溝１０４ａ、１０４ｂを通っている。他のアンテナ素子１４ａと２０ａ、１４ｂと１８ａ、１６ｂと１８ｂの交差部も、他のボス２２に同様に挿通されている。これらのような挿通状態において、各アンテナ素子１４ａと２０ａ、１４ａｂと１８ａ、１６ａと２０ｂ、１６ｂと１８ｂの各上縁は、ボス２２の上端部よりも幾分上方に突出している。
【００２８】
図１に示すように、ダイポールアンテナ１４、１６の間に、これらと平行にダイポールアンテナ２４が配置されている。同様に、ダイポールアンテナ１８、２０の間に、これらと平行に指向性アンテナ、例えばダイポールアンテナ２６が配置されている。これらダイポールアンテナ２４、２６は、第２の周波数帯、例えばＶＨＦ帯のテレビジョン放送信号を受信可能なものである。ダイポールアンテナ２４は、端部６ｂ、６ｂ方向に指向性を示し、ダイポールアンテナ２６は端部６ａ、６ａ方向に指向性を示す。即ち、異なる方向にダイポールアンテナ２４、２６は指向性を示す。
【００２９】
ダイポールアンテナ２４は、本体部２内に収容されている第１エレメント２４ａ、２４ｂを有している。また、ダイポールアンテナ２４は、エレメントケース２８ａ、２８ｂ内に収容された第２エレメント（図示せず）も有している。
【００３０】
第１エレメント２４ａ、２４ｂも、プリント基板をエッチングすることによって、線路が形成されたもので、その表面が本体部２の開口とほぼ平行に配置されている。これら第１エレメント２４ａ、２４ｂは、それらの内方端部側において、底壁部２ａから上方に突出するように底壁部２ａに一体に形成された支持体３０ａ、３０ｂによって支持されると共に、その先端部、即ち外方端部側に底壁部２ａから上方に突出するように底壁部２ａに一体に形成されているボス３２ａ、３２ｂによっても支持されている。
【００３１】
第２エレメントも、それぞれ２つのプリント基板をエッチングすることによって形成した線路を短縮コイルによって接続したもので、それらの表面が第１エレメント２４ａ、２４ｂと同一直線上に位置し、これらとほぼ平行となるようにエレメントケース２８ａ、２８ｂ内にその長さ方向に沿って収容されている。
【００３２】
このエレメントケース２８ａ、２８ｂの基端部が、本体部２の端部６ａ、６ａ、蓋４の端部１０ａ、１０ａに形成した挿通孔４０ａ、４０ｂを通って本体部２内に侵入している。ボス３２ａ、３２ｂ上で、第２エレメント２８ａ、２８ｂのプリント基板が第１エレメント２４ａ、２４ｂと電気的に接触している。そして、ボス３２ａ、３２ｂの下側から挿通された固定手段、例えばねじによって機械的にも第１エレメント２４ａ、２４ｂに結合されている。
【００３３】
ダイポールアンテナ２６も、本体部２内に収容されている第１エレメント２６ａ、２６ｂと、エレメントケース５０ａ、５０ｂ内に収容された第２エレメント（図示せず）を有している。これら第１エレメント２６ａ、２６ｂ、エレメントケース５０ａ、５０ｂ、第２エレメント（図示せず）は、上述したダイポールアンテナ２４の第１エレメント２４ａ、２４ｂ、第２エレメント（図示せず）、エレメントケース２８ａ、２８ｂと同様に構成され、同様に支持されているので、その詳細な説明は省略する。
【００３４】
第１エレメント２４ａ、２４ｂ、２６ａ、２６ｂの内方端部、即ち本体部２の中央部には、指向性調整部５２が配置されている。指向性調整部５２は、ＵＨＦ帯用のダイポールアンテナ１４、１６、１８、２０の受信信号の位相調整及びレベル調整を行って、これらアンテナ１４、１６、１８、２０の合成指向性を所望の方向に向けるための電子回路と、ＶＨＦ帯用のダイポールアンテナ２８、５０の受信信号のレベル調整を行って、これらアンテナ２８、５０の合成指向性を所望の方向に向けるための電子回路とを、備えている。これら２つの合成指向性の方向は、指向性調整部５２によって任意の方向に可変できる。
【００３５】
このような指向性の調整を行うためには、ＵＨＦ帯用のダイポールアンテナ１４、１６、１８、２０の受信信号、ＶＨＦ帯用のダイポールアンテナ２８、５０の受信信号を指向性調整部５２に供給する必要がある。この供給には、図示していないが、伝送線路が使用される。もし、各アンテナ素子１４ａ、１４ｂ、１６ａ、１６ｂ、１８ａ、１８ｂ、２０ａ、２０ｂが交差していないと、各アンテナ素子１４ａ、１４ｂ、１６ａ、１６ｂ、１８ａ、１８ｂ、２０ａ、２０ｂの給電点と、指向性調整部５２とを接続する伝送線路が長くなる。これに起因して、ＵＨＦ帯のＶＳＷＲ特性が悪くなる。また、伝送線路が長いことにより、伝送線路の固定位置が一定しなくなるので、電気的特性が不安定になる。しかし、この実施形態のように各アンテナ素子１４ａ、１４ｂ、１６ａ、１６ｂ、１８ａ、１８ｂ、２０ａ、２０ｂを交差させておくと、各アンテナ素子１４ａ、１４ｂ、１６ａ、１６ｂ、１８ａ、１８ｂ、２０ａ、２０ｂの給電点と、指向性調整部５２とを接続する伝送線路が短くなり、上述したような問題は生じない。
【００３６】
図１及び図２に示すように、本体部２内の底壁部２ａには、指向性調整部５２を包囲するように第２支持部、例えば区画壁５４が、底壁部２ａと一体に形成されている。区画壁５４では、それの平面形状が、本体部２の周壁部２ｂと相似の概略八角形状に形成され、その高さ寸法は、ほぼ周壁部２ｂの高さ寸法と同一である。区隔壁５４の内面側には、区画壁５４への複数の補強体５６が間隔をあけて形成されている。この区画壁５４には、アンテナ素子１４ａ、１４ｂ、１６ａ、１６ｂ、１８ａ、１８ｂ、２０ａ、２０ｂの中途が挿通される合計８つの溝１０８が、区画壁５４の上縁から下方に向かって中途まで形成されている。これら溝１０８の深さは、アンテナ素子１４ａ、１４ｂ、１６ａ、１６ｂ、１８ａ、１８ｂ、２０ａ、２０ｂの上縁が水平に位置するように選択されている。また、その幅寸法は、各アンテナ素子１４ａ、１４ｂ、１６ａ、１６ｂ、１８ａ、１８ｂ、２０ａ、２０ｂの幅寸法よりも若干大きく形成されている。区画壁５４は、第１エレメント２４ａ、２４ｂ、２６ａ、２６ｂの中途とそれぞれ接触し、これらの支持体としても機能している。また、区画壁５４の内外の底壁部２ａには、複数の水抜き孔５８が形成されている。
【００３７】
図１に示すように、蓋４の上壁部４ａにも、区画壁５４と同様に区隔壁６０が上壁部４ａと一体に形成されている。但し、区画壁６０は、蓋４を本体部２に取り付けた状態で、区画壁５４よりも外方に位置するように配置されている。また、区画壁６０の先端は、この取り付け状態において、アンテナ素子１４ａ、１４ｂ、１６ａ、１６ｂ、１８ａ、１８ｂ、２０ａ、２０ｂ、第１エレメント２４ａ、２４ｂ、２６ａ、２６ｂに接触している。従って、アンテナ素子１４ａ、１４ｂ、１６ａ、１６ｂ、１８ａ、１８ｂ、２０ａ、２０ｂ、第１エレメント２４ａ、２４ｂ、２６ａ、２６ｂは、蓋４によって本体部２の開口が閉じられたときに、区隔壁５４、６０によって上下から挟持されて、固定される。
【００３８】
蓋４が本体部２の開口を閉じた状態において、本体部２の各ボス２２に対応する蓋４の内面の位置には、図１に示すようにそれぞれ第１押圧部１１０が蓋４と一体に形成されている。これら第１押圧部１１０は、単円環状に形成され、図３に示すように蓋４が本体部２の開口を閉じた状態において、各ボス２２の位置にある各アンテナ素子１４ａ、１４ｂ、１６ａ、１６ｂ、１８ａ、１８ｂ、２０ａ、２０ｂの上縁を下方に押圧している。これによって、蓋４によって本体部２の開口を閉じるのと同時に、各アンテナ素子１４ａ、１４ｂ、１６ａ、１６ｂ、１８ａ、１８ｂ、２０ａ、２０ｂの各ボス２２への押圧固定も同時に行える。
【００３９】
蓋４が本体部２の開口を閉じた状態において、区画壁５４の各溝１０８に対応する蓋４の内面には、第２押圧部１１２が、合計８つ蓋４と一体に形成されている。これら第２押圧部１１２は、図４に拡大して示すように、区画壁５４よりも内側において各溝１０８の側方まで蓋４の内面から下方へ伸延している。第２押圧部１１２の先端は下方に向かって先細に形成されている。これら先端部よりも幾分上方の部分が各アンテナ素子１４ａ、１４ｂ、１６ａ、１６ｂ、１８ａ、１８ｂ、２０ａ、２０ｂに接触し、各溝１０８の一方の縁、例えば外方側の縁に押圧している。これによって、蓋４によって本体部２の開口を閉じると同時に、各アンテナ素子１４ａ、１４ｂ、１６ａ、１６ｂ、１８ａ、１８ｂ、２０ａ、２０ｂの溝１０８におけるがたつきが阻止されている。
【００４０】
上記の実施形態では、ＵＨＦ帯用のダイポールアンテナ１４、１６、１８、２０のアンテナ素子１４ａ、１４ｂ、１６ａ、１６ｂ、１８ａ、１８ｂ、２０ａ、２０ｂを個別に形成したが、図５に概略的に示すように、４つのプリント基板を準備し、第１のプリント基板に２つのアンテナ素子を間隔をあけて直線状に配置してダイポールアンテナ１４を構成し、第２乃至第４のプリント基板に第１のプリント基板と同様にダイポールアンテナ１６、１８、２０を構成することも可能である。この場合、ダイポールアンテナ１４の中途の２箇所でダイポールアンテナ１８、２０と交差させ、ダイポールアンテナ１６の中途の２箇所でダイポールアンテナ１８、２０と交差させる。無論、各交差位置に第１支持部２２がそれぞれ設けられる。
【００４１】
上記の実施の形態では、各第１の支持部２２の位置に対応させて、第１押圧部１１０をそれぞれ設けたが、各第１押圧部１１０は、各アンテナ素子１４ａ、１４ｂ、１６ａ、１６ｂ、１８ａ、１８ｂ、２０ａ、２０ｂの交差部以外の位置の上縁を、第１支持部２２側に押圧するように設けることもできる。この場合、各アンテナ素子１４ａ、１４ｂ、１６ａ、１６ｂ、１８ａ、１８ｂ、２０ａ、２０ｂの上縁は、第１支持部２２の先端よりも底部２ａ側に位置していてもよい。
【００４２】
上記の実施形態では、ＵＨＦ帯用とＶＨＦ体用のダイポールアンテナをそれぞれ設けたが、ＵＨＦ帯用のダイポールアンテナのみを設けることもできる。また、上記の実施の形態では、ダイポールアンテナを使用したが、例えばモノポールアンテナの内方端部を蓋４によって本体部２の開口を閉じるのと同時に支持部２２、押圧部１１０によって固定することもできる。上記の実施形態では、区画壁５６と区画壁６０とを設けたが、区画壁６０を除去することも可能である。また、区画壁５６を環状に設けたが、これに代えて、例えば各アンテナ素子１４ａ、１４ｂ、１６ａ、１６ｂ、１８ａ、１８ｂ、２０ａ、２０ｂの中途付近にのみ溝１０８を持つ支持体を個別に設けることもできる。
【図面の簡単な説明】
【００４３】
【図１】本発明の１実施形態のアンテナ装置の分解図である。
【図２】図１の部分拡大図である。
【図３】図１のアンテナ装置を組み立てた状態における図１のＡ−Ａ線に沿う断面図である。
【図４】図１のアンテナ装置を組み立てた状態における図１のＢ−Ｂ線に沿う断面図である。
【図５】図１のアンテナ装置の変形例を示す概略平面図である。
【符号の説明】
【００４４】
１  ケース
２  本体部
４  蓋
１４ａ  １４ｂ  １６ａ、１６ｂ、１８ａ、１８ｂ、２０ａ、２０ｂ  アンテナ素子
２２  第１の支持部
５４  第２の支持部
１１０  第１の押圧部
１１２  第２の押圧部
【図１】
2006050131.tif 000003
【図２】
2006050131.tif 000004
【図３】
2006050131.tif 000005
【図４】
2006050131.tif 000006
【図５】
2006050131.tif 000007